(57)【要約】【課題】  従来の噴射式製氷機では、除氷運転中に下方へ傾動して製氷室を開放している水皿が、何等かの原因で上昇し始めたり、上昇した後に再下降に転じる等の挙動を示すことがある。このような場合に、貯氷室中に氷塊が偏在状態で堆積していると、水皿の上昇により氷塊と接触して、水皿や下方のドレンパンへ氷塊を移載してしまうことがある。この状態で水皿が上昇すれば、製氷室との間で氷噛みを生じ、また再下降に転じると、ドレンパンとの間で氷噛みを生じる不都合があった。【解決手段】  除氷運転中に貯氷室の氷塊が満杯になっていることを確認すると、製氷機の運転を停止する。これにより除氷運転で下降した水皿が上昇開始したり、上昇から再下降へ転じたりすることがなくなり、氷噛みが確実に回避される。【選択図】図２
2014185806.tif 000002
【特許請求の範囲】
【請求項１】
下向きに開口する多数の製氷室(18)を有する製氷部(20)と、前記製氷室(18)の夫々を下方から開閉自在に開塞する水皿(24)と、前記水皿(24)の下に設けた製氷水タンク(26)と、前記製氷水タンク(26)に貯留した製氷水を前記製氷室(18)に循環供給する循環ポンプ(28)と、前記製氷水タンク(26)の下方に位置して、該タンク(26)の開放動作時に放出される製氷水を回収するドレンパン(36)と、前記製氷部(20)から放出される氷塊(M)を貯留する貯氷室(16)と、前記貯氷室(16)の貯氷満杯を検知する貯氷検知手段(40)とからなり、前記製氷部(20)で氷塊(M)を生成する製氷運転と、前記製氷部(20)での製氷完了を検知して前記水皿(24)を開放し、該製氷部(20)から氷塊(M)を放出させる除氷運転とを反復する自動製氷機(10)において、
前記除氷運転中であり、かつ前記貯氷検知手段(40)が前記貯氷室(16)の貯氷の満杯を確認したことを条件として前記製氷機(10)の運転を停止し、開放中の前記水皿(24)が前記製氷室(18)へ復帰するのを禁止する
ことを特徴とする自動製氷機。
【請求項２】
前記製氷運転から前記除氷運転に移行して、前記水皿(24)が開放動作を開始した後に、前記貯氷検知手段(40)が氷塊(M)の満杯を検知すると、貯氷検知タイマがＮ秒のカウントを開始し、
前記貯氷検知タイマがカウントアップすると、前記水皿(24)が完全に開放しているかを確認し、
次いで前記貯氷検知手段(40)が引続き氷塊(M)の満杯を検知していれば、前記貯氷室(16)での貯氷の満杯を確認して前記製氷機(10)の運転を停止する請求項１記載の自動製氷機。
【請求項３】
前記製氷運転から前記除氷運転に移行して、前記水皿(24)が開放動作を開始した後に、前記貯氷検知手段(40)が氷塊(M)の満杯を検知すると、貯氷検知タイマがＮ秒のカウントを開始し、
前記水皿(24)の完全開放を確認した後、前記貯氷検知タイマがカウントアップし、
次いで前記貯氷検知手段(40)が引続き氷塊(M)の満杯を検知していれば、前記貯氷室(16)での貯氷の満杯を確認して前記製氷機(10)の運転を停止する請求項１記載の自動製氷機。
【請求項４】
前記製氷運転から前記除氷運転に移行して、前記水皿(24)が開放し切った時に、前記貯氷検知手段(40)が氷塊(M)の満杯を検知すると、貯氷検知タイマがＮ秒のカウントを開始し、
前記貯氷検知タイマがカウントアップすると、前記貯氷室(16)での貯氷の満杯を確認して前記製氷機(10)の運転を停止する請求項１記載の自動製氷機。
【請求項５】
前記除氷運転中に、前記製氷室(18)の温度が上昇し所定の除氷完了温度に達していれば、該製氷室(18)から氷塊(M)が離脱したと判断して、前記製氷機(10)の運転を停止する請求項３または４記載の自動製氷機。
【発明の詳細な説明】
【技術分野】
【０００１】
この発明は、製氷室の下面を閉塞した水皿から製氷水を供給して氷塊を生成する製氷運転と、前記水皿を製氷室から開放して氷塊を貯氷室へ放出する除氷運転とを反復する自動製氷機において、前記除氷運転で開放した水皿や、ドレンパンに載り移った氷塊を水皿の復帰上昇または再下降動作により所謂氷噛みが生ずるのを確実に防止し得る自動製氷機に関するものである。
【背景技術】
【０００２】
自動製氷機で氷塊を自動的に生成する方式は、縦に配置した製氷板に製氷水を流下させて氷結させる流下式や、製氷室の下方に傾動自在に配置した水皿が、該製氷室を下から閉塞して水を噴射供給する噴射式や、冷凍シリンダ中でオーガを回転させて氷を削り取るオーガ式等に分類できる。本発明は、噴射式製氷機(例えば特許文献１参照)に関するものであるので、図７および図８を参照して噴射式製氷機の概略を説明する。
【０００３】
図７は、従来技術に係る噴射式自動製氷機の縦断側面図で、水皿が製氷部を下方から閉塞した製氷運転中の状態を示している。図８は、図７に示す製氷機において、前記水皿が製氷部から斜め下方へ開放し、生成した氷塊を貯氷室へ放出する除氷運転中の状態を示している。図７の自動製氷機１０は、筐体１２の内部が製氷機構部１４と、該製氷機構部１４から放出される氷塊Ｍを貯留する貯氷室１６とに上下に分かたれている。製氷機構部１４には、下向きに開口する製氷室１８を碁盤目状に多数画成した製氷部２０が水平に配設され、前記製氷部２０の上面には冷凍系(図示せず)に接続する蒸発管２２が蛇行状に密着配置されている。
【０００４】
前記製氷部２０の各製氷室１８は、夫々の製氷室１８に対応する噴射孔(図示せず)を多数開設した水皿２４により下方から閉塞されて、前記噴射孔から各製氷室１８へ製氷水が噴射供給される。前記水皿２４の下部には、外部水道系から供給される製氷水を貯留する製氷水タンク２６が一体的に設けられ、該製氷水タンク２６の側部に設けた循環ポンプ２８が前記製氷水をホース３０を介して前記水皿２４へ循環供給するようになっている。前記水皿２４および製氷水タンク２６は、前記製氷室１８を支持している支持体３２の側部に軸３４で枢支されている。そして、図示しないアクチュエータにより正逆駆動されて、前記製氷部２０を水皿２４で閉塞する製氷姿勢(図７)と、斜め下方へ傾動して前記水皿２４を前記製氷部２０から開放する除氷姿勢(図８)とを取るようになっている。
【０００５】
前記製氷水タンク２６の直下には、所要のスペースを空けてドレンパン３６が水平に配設され、除氷運転で傾動した前記製氷水タンク２６から放出される製氷水を該ドレンパン３６で受けて、ドレン管３８から外部へ放出するようになっている。前記貯氷室１６には、貯氷検出手段として例えば貯氷検知スイッチ４０が設けられ、前記製氷室１８から放出されて該貯氷室１６に貯留された氷塊Ｍの量が所定レベルに達したのを検知して、図示しない制御回路へ信号を送るようになっている。また製氷部２０には、サーミスタ等の温度センサ４２が設けられて該製氷部２０の温度を監視し、製氷運転中は製氷完了温度を検出して製氷運転の終了信号を、また除氷運転中は貯氷完了温度を検出して除氷運転の終了信号を、前記制御回路へ送るようになっている。
【０００６】
前述した噴射式自動製氷機では、製氷運転と除氷運転とが反復されて貯氷室１６に多数の氷塊Ｍが貯留されて一定レベルに達すると、前記貯氷検知スイッチ４０が氷塊Ｍの満杯を検知してＯＮ状態になる。しかし貯氷検知スイッチ４０がＯＮ状態になっても、直ちに満氷として前記制御回路により除氷運転を終了させるのではなく、タイマによる所定時間を経過した後に満氷検知を行うようになっている。すなわち製氷運転から除氷運転に切り替わって、前記水皿２４が斜め下方へ傾動して製氷室１８を開放した後に、貯氷室１６における氷塊Ｍの満杯を前記貯氷検知スイッチ４０が検知してＯＮ動作すると、制御回路におけるタイマが所定の設定時間(例えば１０秒)のカウントを開始する。そしてタイマが所定のカウントを終了してタイムアップすると、貯氷検知スイッチ４０の誤検知ではないと判断して(貯氷の満杯を確認)、除氷運転を停止させる。このように水皿２４の完全下降を確認するのは、該水皿２４が何等かの理由、例えば下降途中で停止すると、氷塊Ｍが該水皿２４に残留してしまうことがあるからである。
なお、図示していないが、前記水皿２４の下降および上昇は、前記製氷部２０に設けたアクチュエータモータの正転・逆転により実行される。そして、図示しないセンサにより前記アクチュエータモータの回転位置を検出し、これにより前記水皿２４の位置を間接的に検知することで、該水皿２４が完全に下降したことを検出する。
【０００７】
なお、貯氷検知スイッチ４０のＯＮによりタイマが所定時間をカウントしている間に、前記製氷部２０に設けた温度センサ４２が除氷完了温度を検知すると、製氷運転に向けて該水皿２４は上昇し始める。ここで前記タイマがタイムアップすると、上昇中であった前記水皿２４は再下降に切り替わり、前記水皿２４は完全に下方へ開いた状態で除氷運転を停止させる。
【先行技術文献】
【特許文献】
【０００８】
【特許文献１】特開平４−６０３６１号公報
【発明の概要】
【発明が解決しようとする課題】
【０００９】
従来の噴射式製氷機における前記タイマは、除氷運転により水皿２４が完全に下降してから所定時間のカウントを開始する。しかし諸般の状況によっては、前記水皿２４が下降し切った状態で、前記タイマがタイムアップする前に、前記温度センサ４２が前記水皿２４の除氷完了温度を検出して、前記水皿２４を上昇させ始めることがある。この場合は、前記タイマが所定時間をタイムアップした時点で、前記水皿２４を再下降させた後に除氷運転を停止させる。
【００１０】
しかしながら、除氷運転中で下降していた前記水皿２４が上昇し始めたことで、前記貯氷室１６に堆積した氷塊Ｍの一部が該水皿２４に載ってしまったり、前記ドレンパン３６の側に崩れて該ドレンパン３６の上に載ってしまったりすることがある。例えば、図８に示すように、水皿２４が斜め下方へ傾動して製氷室１８を開放し、該製氷室１８の氷塊Ｍが貯氷室１６に偏在的に堆積してしまった場合に、何等かの理由により前記水皿２４が、図９に示すように上昇し始めることがある。この場合に、上昇に転じた水皿２４が貯氷室１６に堆積している氷塊Ｍに接触して、一部の氷塊Ｍが前記水皿２４に載り移ってしまうことがあり得る。このように一部の氷塊Ｍを載せたまま水皿２４が上昇すると、該水皿２４と製氷部２０との間で氷塊Ｍを挟んでしまい(氷噛み)、アクチュエータに過負荷を生じたり、製氷部２０や水皿２４を損傷する。すなわち水皿２４に氷塊Ｍが移載されたまま上昇すると、前記タイマがカウントアップする前に前記貯氷検知スイッチ４０の除氷温度検知が解除された場合、該水皿２４は下降することなく上昇してしまい、前記のように製氷部２０との間で氷噛みを生じてしまう危険性がある。
【００１１】
また、図８に示すように、貯氷室１６に多量の氷塊Ｍが堆積している状態で水皿２４が突如上昇すると、図９に示すように該水皿２４が氷塊Ｍに接触し、一部の氷塊Ｍがドレンパン３６の上に載り移ってしまうことがある。このように一部の氷塊Ｍがドレンパン３６に載った状態で、前記水皿２４が再下降すると、該水皿２４の下部に設けた製氷水タンク２６の裏面が前記ドレンパン３６上に散乱している氷塊Ｍを挟んでしまい、前記ドレンパン３６に割れを生じたり破砕したりする。
【課題を解決するための手段】
【００１２】
前記課題を解決し、所期の目的を達成するため、請求項１に記載の発明は、下向きに開口する多数の製氷室を有する製氷部と、前記製氷室の夫々を下方から開閉自在に開塞する水皿と、前記水皿の下に設けた製氷水タンクと、前記製氷水タンクに貯留した製氷水を前記製氷室に循環供給する循環ポンプと、前記製氷水タンクの下方に位置して、該タンクの開放動作時に放出される製氷水を回収するドレンパンと、前記製氷部から放出される氷塊を貯留する貯氷室と、前記貯氷室の貯氷満杯を検知する貯氷検知手段とからなり、前記製氷部で氷塊を生成する製氷運転と、前記製氷部での製氷完了を検知して前記水皿を開放し、該製氷部から氷塊を放出させる除氷運転とを反復する自動製氷機において、
前記除氷運転中であり、かつ前記貯氷検知手段が前記貯氷室の貯氷の満杯を確認したことを条件として前記製氷機の運転を停止し、開放中の前記水皿が前記製氷室へ復帰するのを禁止することを要旨とする。
請求項１に係る発明によれば、除氷運転中であって、かつ貯氷室中の貯氷が満杯であることを確認すると、製氷機の運転を停止させるために、除氷運転中に下降している水皿が上昇することがない。従って、前述した氷噛みは確実に回避される。
【００１３】
請求項２に記載の発明は、前記製氷運転から前記除氷運転に移行して、前記水皿が開放動作を開始した後に、前記貯氷検知手段が氷塊の満杯を検知すると、貯氷検知タイマがＮ秒のカウントを開始し、
前記貯氷検知タイマがカウントアップすると、前記水皿が完全に開放しているかを確認し、次いで前記貯氷検知手段が引続き氷塊の満杯を検知していれば、前記貯氷室での貯氷の満杯を確認して前記製氷機の運転を停止することを要旨とする。
請求項２に係る発明によれば、除氷運転に入って水皿が下降中に貯氷の満杯が検知されても、タイマが所定の時限をカウントする。そして前記タイマがタイムアップしても、水皿が下降中は下降し切るまで待機した後に製氷機を停止する。これにより、前述した氷噛みは確実に回避される。
【００１４】
請求項３に記載の発明は、前記製氷運転から前記除氷運転に移行して、前記水皿が開放動作を開始した後に、前記貯氷検知手段が氷塊の満杯を検知すると、貯氷検知タイマがＮ秒のカウントを開始し、
前記水皿の完全開放を確認した後、前記貯氷検知タイマがカウントアップし、次いで前記貯氷検知手段が引続き氷塊の満杯を検知していれば、前記貯氷室での貯氷の満杯を確認して前記製氷機の運転を停止することを要旨とする。
請求項３に係る発明によれば、除氷運転に入って水皿が下降中に貯氷の満杯が検知されるとタイマが所定の時限をカウントする。そしてタイマがカウントアップする前に前記水皿が下降し切ってもそのまま待機させ、前記タイマのカウントアップを待って製氷機の運転を停止させる。これにより、前述した氷噛みは確実に回避される。
【００１５】
請求項４に記載の発明は、前記製氷運転から前記除氷運転に移行して、前記水皿が開放し切った時に、前記貯氷検知手段が氷塊の満杯を検知すると、貯氷検知タイマがＮ秒のカウントを開始し、前記貯氷検知タイマがカウントアップすると、前記貯氷室での貯氷の満杯を確認して前記製氷機の運転を停止することを要旨とする。
請求項４に係る発明によれば、除氷運転に入って水皿が下降し切った時点に同期して貯氷の満杯が検知された場合は、タイマが所定の時限のカウントを開始する。そして前記タイマがカウントアップすると製氷機の運転を停止させる。これにより、前述した氷噛みは確実に回避される。
【００１６】
請求項５に記載の発明は、前記除氷運転中に、前記製氷室の温度が上昇し所定の除氷完了温度に達していれば、該製氷室から氷塊が離脱したと判断して、前記製氷機の運転を停止することを要旨とする。
請求項５に係る発明によれば、第２実施例および第３実施例において製氷室が除氷完了温度に達していない場合は、当該温度に達するまで製氷機の除氷運転を継続する。従って、製氷室の除氷が不完全なままで製氷機を停止して、除氷運転を途中で打ち切ってしまうということがない。
【発明の効果】
【００１７】
本発明によれば、貯氷庫における貯氷の満杯の確認は、必ず水皿が下降し切っている状態の下でなされ、かつ製氷機の運転が停止されるため、前記水皿が何等かの条件で上昇復帰したり、再下降したりする恐れが全くなくなる。従って、貯氷室に偏在的に氷塊が堆積していても、これら氷塊の一部が崩れて水皿やドレンパンに載り移ることがなく、氷噛み現象を確実に防止することができる。
【図面の簡単な説明】
【００１８】
【図１】本実施例に係る自動製氷機の第１実施例のフローチャートである。
【図２】第１実施例のタイミングチャートである。
【図３】本実施例に係る自動製氷機の第２実施例のフローチャートである。
【図４】第２実施例のタイミングチャートである。
【図５】本実施例に係る自動製氷機の第３実施例のフローチャートである。
【図６】第３実施例のタイミングチャートである。
【図７】従来技術に係る噴射式自動製氷機の縦断側面図である。
【図８】図７に示す製氷機において、水皿が製氷部から傾動して開放し、氷塊を貯氷室へ放出する除氷運転の状態を示している。
【図９】図８に示す状態から水皿が上昇復帰する場合に製氷部との間で氷噛みを生じ、また前記水皿が再下降する場合にドレンパンとの間で氷噛みを生じる状態を示す説明図である。
【発明を実施するための形態】
【００１９】
本発明に係る自動製氷機について、第１実施例〜第３実施例を挙げて以下に説明する。なお、本発明は製氷機に関するものであるから、各実施例が適用される噴射式製氷機の構成に関しては、図７および図８で述べた前記説明を援用する。
【００２０】
〔第１実施例〕
第１実施例に係る製氷機について、その運転方法を、図１のフローチャートおよび図２のタイミングチャートを参照して説明する。噴射式製氷機１０を図１のステップＳ１で起動すると、ステップＳ２で製氷機１０の運転が開始される。製氷機１０では、前述したように製氷運転と除氷運転とのサイクルが反復され、次第に貯氷室１６に氷塊Ｍが貯留される。すなわち製氷部２０に設けた温度センサ４２は、該製氷部２０の温度を監視しており、ステップＳ３で製氷室１８の温度が製氷完了温度に達したことを確認(ＹＥＳ)すると、ステップＳ４で製氷運転を終了し、ステップＳ５で除氷運転を開始する。そして製氷室１８を閉塞していた水皿２４は下方へ傾動して該水皿２４を開放する。
【００２１】
前記水皿２４が開放されると、製氷室１８に形成された多数の氷塊Ｍは落下して前記貯氷室１６に貯留される。前記製氷室１８は、氷塊との融解を促進するため蒸発管２２を介してホットガスにより加温され、また前記氷塊Ｍの放出により熱負荷を失って該製氷室１８の温度は上昇する。前記温度センサ４２は製氷室１８の温度上昇を検知し、ステップＳ６で除氷完了温度に達したことを確認(ＹＥＳ)すると、第１条件としての信号を図示しない制御回路に送る。
【００２２】
前記ステップＳ５で除氷運転の開始が確認されると、前記ステップＳ６と並行に走るフローチャートが機能を開始し、ステップＳ７で貯氷室１６中の貯氷検知スイッチ４０がＯＮしたか(貯氷を検知したか)を確認する。ステップＳ７で貯氷検知スイッチ４０のＯＮ動作が確認(ＹＥＳ)されると、ステップＳ８に進んで前記制御回路に内蔵したタイマのカウントを開始する。前記タイマには、Ｎ秒(例えば１０秒)の時限が設定してあるので、次のステップＳ９でタイマがＮ秒をカウントしたか否かを確認する。ステップＳ９の確認が肯定(ＹＥＳ)されると、ステップＳ１０で除氷運転中の水皿２４が開放し切っているか否かを確認する。
ステップＳ１０で完全開放が確認(ＹＥＳ)されるとステップＳ１１に進み、先のステップＳ７でＯＮ動作を確認した貯氷検知スイッチ４０が、引続きＯＮ状態になっているか否かを確認する。このステップＳ１１において、貯氷検知スイッチ４０がＯＮ状態に引続きなっていることを確認(ＹＥＳ)すると、第２条件としての信号を前記制御回路に送る。
前記制御回路では、先にステップＳ６から入力された第１信号と、ステップＳ１１から入力された前記第２信号とによりアンド条件を成立させ、ステップＳ１２で貯氷室１６における貯氷の満杯を確認し、ステップＳ１３で製氷機の運転を停止させる。
なお、前記ステップＳ６が除氷完了温度への到達を確認(ＹＥＳ)して前記第１信号が出されても、貯氷検知スイッチ４０側のフローから前記第２信号が得られない場合は、アンド条件の不成立、すなわち貯氷が満杯になっていないということになる。従ってこの場合は、前記水皿２４を上昇復帰させて製氷室１８を閉塞し、再びステップＳ２からの製氷運転を開始する。これは、第２実施例および第３実施例の場合も同様である。
【００２３】
前記製氷機における一連の運転方法を、図２のタイミングチャートで追認する。製氷室１８の温度を監視する前記温度センサ４２が、製氷完了温度を検出すると製氷運転が終了し、前記製氷室１８を閉塞していた前記水皿２４は下降を開始する。前記水皿２４の開放により前記製氷室１８から氷塊Ｍが放出されて、貯氷室１６の貯氷量が更に上昇すると、前記貯氷検知スイッチ４０がＯＮ動作する。これと同期して、例えば１０秒に予め設定した前記タイマがカウントを開始し、１０秒がタイムアップすると、前記下降中の水皿２４は強制的に引続き下降させるよう前記制御回路に指令を与える。すなわち前記水皿２４は、斜め下方へ傾動し切って、前記水皿２４を完全開放して製氷機１０の運転停止を待機する。
【００２４】
開放した前記製氷室１８は、氷塊Ｍの放出により温度上昇をし始め、所定の除氷完了温度に達すれば、前記制御回路へ貯氷完了の信号を送って製氷機１０の運転を停止させる。なお、除氷完了温度にまで達していない場合は、その温度に達するまで製氷機１０の除氷運転を行う。このように、水皿２４の下降中に貯氷検知スイッチ４０が動作するとタイマを動作させ、設定時限が経過してから製氷機１０を停止させるため、該水皿２４の上昇を確実に阻止することができる。従って、水皿２４に氷塊Ｍが載って上昇したり、ドレンパンへ氷塊が移載されることがなく、氷噛み現象を有効に回避することができる。
【００２５】
〔第２実施例〕
第２実施例を、図３のフローチャートおよび図４のタイミングチャートを参照して説明する。なお、第２実施例は、水皿２４の下降を開始して貯氷検知スイッチ４０がＯＮ動作した後で、タイマがＮ秒をタイムアップする前に、該水皿２４が完全開放した場合の例であり、その他の進行は第１実施例と同じである。すなわち、図３において左側のステップＳ１〜Ｓ６を経て第１信号を制御回路に入力することは、前述した第１実施例と同じである。
【００２６】
図３のステップＳ５で除氷運転が開始されると、ステップＳ６に並行に走るフローチャートのステップＳ７で貯氷検知スイッチ４０がＯＮ動作したかを確認する。ステップＳ７で貯氷検知スイッチ４０のＯＮ動作が確認(ＹＥＳ)されると、ステップＳ８に進んで前記タイマにおけるＮ秒(例えば１０秒)のカウントを開始する。前記タイマのカウント中に、ステップＳ９で前記傾動中の水皿２４が下降し切ったかを確認し、これが確認(ＹＥＳ)されるとステップＳ１０に進んで、タイマのカウントがＮ秒を経過したかを確認する。Ｎ秒のカウントアップが確認(ＹＥＳ)されるとステップＳ１１に進み、先のステップＳ７でＯＮ動作していることを確認した貯氷検知スイッチ４０が引続きＯＮ状態になっているかを確認する。このステップＳ１１において、貯氷検知スイッチ４０がＯＮ状態に引続きなっていることを確認(ＹＥＳ)すると、第２条件としての信号を前記制御回路に送る。前記制御回路では、先にステップＳ６から入力された第１信号と、ステップＳ１１から入力された第２信号とによりアンド条件を成立させ、ステップＳ１２で貯氷室１６における貯氷の満杯を確認し、ステップＳ１３で製氷機１０の運転を停止させる。
【００２７】
図４のタイミングチャートで、図３の流れを追認する。前記温度センサ４２が製氷室１８の温度が製氷完了温度に達したことを検出すると、前記水皿２４が傾動して下降を開始し、該製氷室１８から貯氷室１６へ氷塊Ｍが放出される。これにより前記貯氷室１６の貯氷量が更に上昇すると、前記貯氷検知スイッチ４０がＯＮ動作して前記タイマがＮ秒(例えば１０秒)のカウントを開始する。
前記タイマのカウント中(１０秒に達していない)に、前記傾動中であった水皿２４が完全に下降し切ってしまい、前記製氷室１８が除氷完了温度に達すると、これを監視していた前記温度センサ４２は前記第１の信号を前記制御回路に送る。また前記タイマが１０秒のカウントをアップすると、前記第２の信号を前記制御回路に送って、両信号のアンド条件成立により製氷機１０は運転を停止する。
なお、製氷室１８の温度が除氷完了温度に達していない場合は、図４で破線で示すように、当該温度に到達するまで製氷機１０の除氷運転を継続し、除氷が完了するまで水皿２４は下方で待機させておく。そして、製氷室１８が除氷完了温度に達すると、貯氷の満杯を確認して製氷機１０を停止させる。
【００２８】
〔第３実施例〕
第３実施例を、図５のフローチャートおよび図６のタイミングチャートを参照して説明する。この第３実施例は、水皿２４が完全に下降し切った時点で貯氷検知スイッチ４０がＯＮ動作した場合に、Ｎ秒(例えば１０秒)だけ遅延させてから製氷機１０の運転を停止させるものである。図５において、左側のステップＳ１〜Ｓ６を経て前記第１信号を制御回路に入力することは、前述した第１実施例と同じである。
【００２９】
ステップＳ５で除氷が確認されると、ステップＳ６と並行に走るフローチャートのステップＳ７で水皿２４が完全に下降し切ったかを確認する。それが肯定(ＹＥＳ)されれば、ステップＳ８で貯氷検知スイッチ４０がＯＮ動作しているかを確認する。このステップＳ８で貯氷検知スイッチ４０のＯＮ動作が確認(ＹＥＳ)されると、ステップＳ９で前記タイマのカウントを開始する。ここでタイマの設定時限はＮ秒(例えば１０秒)である。次にステップＳ１０で、タイマが前記Ｎ秒をカウントしたかを確認し、そのカウントアップが確認されると、第２条件としての信号を前記制御回路に送る。
前記制御回路では、先にステップＳ６から入力された第１信号と、ステップＳ１１から入力された第２信号とによりアンド条件を成立させ、ステップＳ１１で貯氷室１６における貯氷の満杯を確認し、ステップＳ１２で製氷機１０の運転を停止させる。
【００３０】
図６のタイミングチャートで、図５の流れを追認する。前記温度センサ４２が製氷室１８の製氷完了温度を検出すると、前記製氷室１８を閉塞していた前記水皿２４は下降を開始し、生成された氷塊を貯氷室１６へ放出する。この水皿２４が完全に下降し切ったタイミングで、前記貯氷室１６に堆積した氷塊Ｍのピークを前記貯氷検知スイッチ４０が検出してＯＮ動作すると、前記タイマがカウントを開始する。前記タイマが所定の時限Ｎ秒(例えば１０秒)を経過すると、前記制御回路に信号を与えて製氷機１０の運転を停止する。このため前記水皿２４は、下降し切ったままで開放状態を維持する。
なお、製氷室１８の温度が除氷完了温度に達していない場合は、図６に破線で示すように、当該温度に到達するまで製氷機１０を除氷運転するが、除氷が完了するまで水皿２４は下方で強制待機させておく。そして、製氷室１８が除氷完了温度に達すると、貯氷の満杯を確認して製氷機１０を停止させる。
【符号の説明】
【００３１】
１０  自動製氷機，１６  貯氷室，１８  製氷室，２０  製氷部，２４  水皿，
２６  製氷水タンク，２８  循環ポンプ，３６  ドレンパン，
４０  貯氷検知手段(貯氷検知スイッチ)，Ｍ  氷塊
【図１】
2014185806.tif 000003
【図２】
2014185806.tif 000004
【図３】
2014185806.tif 000005
【図４】
2014185806.tif 000006
【図５】
2014185806.tif 000007
【図６】
2014185806.tif 000008
【図７】
2014185806.tif 000009
【図８】
2014185806.tif 000010
【図９】
2014185806.tif 000011